(57)【要約】【課題】  取付板と壁面との間に形成される空間が狭くてもその空間に容易に取り付けることができ、しかも取り付け，部品の交換や点検等の作業を容易に行うことができる水栓を提供する。【解決手段】  取付板２の内部に設けられた温調本体１１と、取付板２の表側に設けられ前記温調本体１１と連繋する操作部材４１ａとを備え、前記温調本体１１には湯，水の混合割合を調節する温調部材１６が取付板２に対し平行となるように収容されるとともに、温調部材１６と操作部材４１ａとは互いに連繋する操作軸１７，２６が形成され、互いの操作軸１７，２６は直交するように配置された水栓１において、前記取付板２の内部にケース体５１ａを設け、このケース体５１ａに操作部材４１ａの回転力を温調部材１６に伝達する連動機構６１ａを装着し、連動機構６１ａに対し温調部材１６と操作部材４１ａとを取り付けた。【選択図】  図３
2006112180.tif 000002
【特許請求の範囲】
【請求項１】
取付板の内部に設けられた温調本体と、取付板の表側に設けられ前記温調本体と連繋する操作部材とを備え、前記温調本体には湯，水の混合割合を調節する温調部材が取付板に対し平行となるように収容されるとともに、温調部材と操作部材とは互いに連繋する操作軸が形成され、互いの操作軸は直交するように配置された水栓において、前記取付板の内部にケース体を設け、このケース体に操作部材の回転力を温調部材に伝達する連動機構を装着し、連動機構に対し温調部材と操作部材とを取り付けたことを特徴とする水栓。
【請求項２】
取付板の内部に設けられた切替本体と、取付板の表側に設けられ前記切替本体と連繋する操作部材とを備え、前記切替本体には吐水する湯水の方向を切り替えるための切替部材が取付板に対し平行となるように収容されるとともに、切替部材と操作部材とは互いに連繋する操作軸が形成され、互いの操作軸は直交するように配置された水栓において、前記取付板の内部にケース体を設け、このケース体に操作部材の回転力を切替部材に伝達する連動機構を装着し、連動機構に対し切替部材と操作部材とを取り付けたことを特徴とする水栓。
【請求項３】
取付板の内部に設けられた止水本体と、取付板の表側に設けられ前記止水本体と連繋する操作部材とを備え、前記止水本体には吐水と止水とを切り替えるための吐止水部材が取付板に対し平行となるように収容されるとともに、吐止水部材と操作部材とは互いに連繋する操作軸が形成され、互いの操作軸は直交するように配置された水栓において、前記取付板の内部にケース体を設け、このケース体に操作部材の回転力を吐止水部材に伝達する連動機構を装着し、連動機構に対し吐止水部材と操作部材とを取り付けたことを特徴とする水栓。
【発明の詳細な説明】
【技術分野】
【０００１】
この発明は、浴室等の取付板に取り付けて使用される水栓に関する。
【背景技術】
【０００２】
従来の水栓として、取付板の裏側に水栓本体を取り付け、表側に水栓本体と連繋した操作部材を取り付け、この操作部材を操作することにより水栓本体で湯，水の混合割合を調節したり、混合された湯水の吐水方向を吐水管やシャワーヘッド等に切り替えたりするものが公知であり、このような水栓として例えば特許文献１に開示されているようなものがある。
【０００３】
この特許文献１の水栓は、取付板の裏側に取り付けられた水栓本体と、この水栓本体と連通し湯水が吐水される複数の吐水具とを備えており、水栓本体は給湯源，給水源から供給された湯，水の混合割合を調節する温調部材と、温調部材によって混合された湯水の吐水方向を切り替える切替部材と、取付板の表側に設けられ操作軸を介して温調部材，切替部材とそれぞれ連繋した各操作部材とからなり、各操作部材をそれぞれ操作することで所望温度の湯水が吐水具から吐水されるものである。
【０００４】
しかしながら特許文献１の水栓は、操作部材の操作軸と、温調部材，切替部材とがそれぞれ同一軸線上に配置されているため、水栓本体が取付板と壁面との間で縦長となってしまい、取付板と壁面との間に形成される空間が狭い場合にはその空間に水栓本体を取り付けることができなかった。
【０００５】
そこで、特許文献２の水栓では、温調部材と操作部材，切換部材と操作部材をそれぞれ直交するように配置し、取付板と壁面との間の空間が狭くてもその空間に取付可能としている。
【０００６】
この特許文献２の水栓は、取付板に複数箇所開口された開口部のうち、１つの開口部の上側に取り付けられた水栓本体と、残りの開口部の内縁に取り付けられた筒状の固定リングと、この固定リングから上方へ一部が円弧状をなして突出するように設けられたハンドル等の操作部材と、この操作部材を回転自在となるように、上記固定リングに枢支する回転軸と、操作部材の下方に設置されて水栓からの水量をその回動によって調整する調整回動軸とを備え、前記調整回動軸に操作部材の回転を伝達する連動機構を設けている。そして、回転軸から調整回動軸へと回転が伝達されると、連結棒を介して湯水供給管から湯水が供給され、湯水混合管で湯と水が混合し、吐水口から湯水が吐水されるものである。
【０００７】
しかしながら特許文献２の水栓は、部品の交換や点検を行なう場合に連動機構と連結棒との結合状態を取付板の表側から解除しようとすると、両部品は取付板の裏側で取付板から離れた位置で直接結合されているため工具をその結合位置へうまくあてることができず、場合によっては水栓を一旦取付板から取り外す必要があり、必要とする時間と労力は多大なもので、その改善が望まれていた。
【０００８】
【特許文献１】特開平９−８８１３７号公報
【特許文献２】特開平８−１２０７１６号公報
【発明の開示】
【発明が解決しようとする課題】
【０００９】
この発明は、このような従来の技術に存在する問題点に着目してなされたものであり、その目的は、取付板と壁面との間に形成される空間が狭くてもその空間に容易に取り付けることができ、しかも取り付け，部品の交換や点検等の作業を容易に行うことができる水栓を提供することにある。
【課題を解決するための手段】
【００１０】
上記目的を達成するため本発明の請求項１では、取付板の内部に設けられた温調本体と、取付板の表側に設けられ前記温調本体と連繋する操作部材とを備え、前記温調本体には湯，水の混合割合を調節する温調部材が取付板に対し平行となるように収容されるとともに、温調部材と操作部材とは互いに連繋する操作軸が形成され、互いの操作軸は直交するように配置された水栓において、前記取付板の内部にケース体を設け、このケース体に操作部材の回転力を温調部材に伝達する連動機構を装着し、連動機構に対し温調部材と操作部材とを取り付けたものである。
【００１１】
請求項２では、取付板の内部に設けられた切替本体と、取付板の表側に設けられ前記切替本体と連繋する操作部材とを備え、前記切替本体には吐水する湯水の方向を切り替えるための切替部材が取付板に対し平行となるように収容されるとともに、切替部材と操作部材とは互いに連繋する操作軸が形成され、互いの操作軸は直交するように配置された水栓において、前記取付板の内部にケース体を設け、このケース体に操作部材の回転力を切替部材に伝達する連動機構を装着し、連動機構に対し切替部材と操作部材とを取り付けたものである。
【００１２】
請求項３では、取付板の内部に設けられた止水本体と、取付板の表側に設けられ前記止水本体と連繋する操作部材とを備え、前記止水本体には吐水と止水とを切り替えるための吐止水部材が取付板に対し平行となるように収容されるとともに、吐止水部材と操作部材とは互いに連繋する操作軸が形成され、互いの操作軸は直交するように配置された水栓において、前記取付板の内部にケース体を設け、このケース体に操作部材の回転力を吐止水部材に伝達する連動機構を装着し、連動機構に対し吐止水部材と操作部材とを取り付けたものである。
【発明の効果】
【００１３】
請求項１に記載の発明では、水栓は取付板と壁面との間の狭い空間に取り付けられるうえ、水栓の取付板への取り付けの際には、温調部材と操作部材とを容易に取り付けることができるので、施工性が向上する。また、部品の交換や点検の際には、温調本体が壁面に固定されたままの状態で、操作部材，ケース体を容易に取り外すことができるので、メンテナンス作業を容易に行うことができる。さらにケース体に装着された連動機構を分解する必要がないので、メンテナンス作業を短時間で行うことができる。
【００１４】
請求項２に記載の発明では、水栓は取付板と壁面との間の狭い空間に取り付けられるうえ、水栓の取付板への取り付けの際には、切替部材と操作部材とを容易に取り付けることができるので、施工性が向上する。また、部品の交換や点検の際には、切替本体が壁面に固定されたままの状態で、操作部材，ケース体を容易に取り外すことができるので、メンテナンス作業を容易に行うことができる。さらにケース体に装着された連動機構を分解する必要がないので、メンテナンス作業を短時間で行うことができる。
【００１５】
請求項３に記載の発明では、水栓は取付板と壁面との間の狭い空間に取り付けられるうえ、水栓の取付板への取り付けの際には、吐止水部材と操作部材とを容易に取り付けることができるので、施工性が向上する。また、部品の交換や点検の際には、止水本体が壁面に固定されたままの状態で、操作部材，ケース体を容易に取り外すことができるので、メンテナンス作業を容易に行うことができる。さらにケース体に装着された連動機構を分解する必要がないので、メンテナンス作業を短時間で行うことができる。
【発明を実施するための最良の形態】
【００１６】
以下、本発明の実施例を図に基づいて詳細に説明する。
【実施例１】
【００１７】
図１は、本発明の水栓１が浴室Ａに取り付けられた状態の説明図である。
水栓１は、浴室Ａの壁面やカウンター又はカバー等に取り付けられた取付板２の内部に配置されており、給湯源から供給された湯，給水源から供給された水を所望温度に混合し、混合された湯水は浴室Ａ内に設けられた複数個のシャワー７，８，９の何れか一つから洗い場Ｂに向けて吐水されるものである。
【００１８】
図２及び図３に示すように、水栓１は、取付板２と壁面Ｗとの間の空間に配置され、給湯源から供給された湯，給水源から供給された水の混合割合を調節する温調部材１６が収容された温調本体１１と、温調本体１１で調節された湯水の吐水方向を第１シャワー７又は第２シャワー８の何れかに切り替える切替部材２５が収容された切替本体２１と、第３シャワーから吐水される湯水の吐止水操作を行う吐止水部材３４が収容された止水本体３１と、取付板２の表側に設けられた各操作部材４１ａ，４１ｂ，４１ｃと、各操作部材４１ａ，４１ｂ，４１ｃの操作力を温調部材１６，切替部材２５，吐止水部材３４にそれぞれ伝達するための各連動機構６１ａ，６１ｂ，６１ｃとを備え、温調本体１１と操作部材４１ａとはケース体５１ａに、切替本体２１と操作部材４１ｂとはケース体５１ｂに、止水本体３１と操作部材４１ｃとはケース体５１ｃにそれぞれ装着されている。
【００１９】
前記温調本体１１は取付板２の内部に設けられており、薄板状の固定板３ａを介して壁面Ｗに固定されている。また、温調本体１１は縦長の円筒形状で、一方の側面には湯入口部１２が形成され、他方の側面には水入口部１３が形成されており、湯入口部１２には給湯源と連通した給湯管１４が、水入口部１３には給水源と連通した給水管１５がそれぞれ接続され、給湯源，給水源から供給された湯，水が温調本体１１に収容された温調部材１６に供給される。なお、温調本体１１の下流側は第１配管５と第２配管６とに分岐しており、第１配管５は前記切替本体２１と、第２配管６は止水本体３１とそれぞれ連通している。
【００２０】
前記温調部材１６は温調本体１１に収容され、給湯源，給水源から供給された湯，水の混合割合を調節するものである。この温調部材１６は略円筒形状で、縦長に形成された取付板２に対して平行となるように温調本体１１に収容されており、温調本体１１の壁面Ｗから前方への突出量を少なくしている。また、図４に示すように温調部材１６の一端には第１操作軸１７が形成されており、この第１操作軸１７は温調本体１１から外部へ突出している。
【００２１】
前記切替本体２１は取付板２の内部に設けられており、薄板状の固定板３ｂを介して壁面Ｗに固定されている。また、切替本体２１は縦長の円筒形状で、温調本体１１と向かい合う基端には接続部２２が突出して形成され、この接続部２２は第１配管５を介して温調本体１１と連通しており、温調本体１１で混合された湯水が切替本体２１に収容された切替部材２５に供給される。なお、切替本体２１の他端の両側面には流出口２３，２４が形成され、第１流出口２３はリング形状の第１シャワー７と、第２流出口２４は霧状の湯水が吐水される第２シャワー８とそれぞれ連通している。
【００２２】
前記切替部材２５は切替本体２１に収容され、温調本体１１から供給された湯水の吐水方向を第１シャワー７又は第２シャワー８の何れか一方へ切り替え、さらに吐水される湯水の吐水流量を調節するものである。この切替部材２５は略円筒形状で、縦長に形成された取付板２に対して平行となるように切替本体２１に収容されており、切替本体２１の壁面Ｗから前方への突出量を少なくしている。また、図５に示すように切替部材２５の一端には第２操作軸２６が形成されており、この第２操作軸２６は切替本体２１から外部へ突出している。
【００２３】
前記止水本体３１は取付板２の内部に設けられており、薄板状の固定板３ｃを介して壁面Ｗに固定されている。また、止水本体３１は長方形状で、一方に流入口３２が突出して形成され、この流入口３２は第２配管６を介して温調本体１１と連通しており、温調本体１１で混合された湯水が止水本体３１に収容された吐止水部材３４に供給される。なお、止水本体３１は流出口３３が突出して形成され、この流出口３３は浴室Ａ内に設置されたハンドシャワー等の第３シャワー９と連通している。
【００２４】
前記吐止水部材３４は止水本体３１に収容され、第３シャワー９から吐水される湯水の吐水，止水の切り替え、さらに吐水される湯水の吐水流量を調節するものである。この吐止水部材３４は略円筒形状で、縦長に形成された取付板２に対して平行となるように止水本体３１に収容されており、止水本体３１の壁面Ｗから前方への突出量を少なくしている。また、図６に示すように吐止水部材３４の一端には第３操作軸３５が形成されており、この第３操作軸３５は止水本体３１から外部へ突出している。
【００２５】
前記操作部材４１ａ，４１ｂ，４１ｃは回転式のハンドルであり、取付板２の表側にそれぞれ設けられている。また、図４に示すように第１操作部材４１ａには取付板２の内部に向けて突出するように第４操作軸４２ａが接続されており、この第４操作軸４２ａは温調本体１１に収容された温調部材１６の第１操作軸１７と第１連動機構６１ａを介して連繋している。また、図５に示すように第２操作部材４１ｂには取付板２の内部に向けて突出するように第５操作軸４２ｂが接続されており、この第５操作軸４２ｂは切替本体２１に収容された切替部材２５の第２操作軸２６と第２連動機構６１ｂを介して連繋している。さらに、図６に示すように第３操作部材４１ｃには取付板２の内部に向けて突出するように第６操作軸４２ｃが接続されており、この第６操作軸４２ｃは止水本体３１に収容された吐止水部材３４の第３操作軸３５と第３連動機構６１ｃを介して連繋している。
【００２６】
前記ケース体５１ａ，５１ｂ，５１ｃは、図３乃至図６に示すように断面形状が略コ字形の薄板状で、その両底部には外方に向かって突出した薄板状の端板５２が形成されている。またケース体５１ａ，５１ｂ，５１ｃの天井面５３と一方の側面５４には貫通孔５３ａ，５４ａが形成されており、図４に示す第１ケース体５１ａではこの貫通孔５３ａ，５４ａに、第１操作部材４１ａの第４操作軸４２ａの回転力を温調部材１６の第１操作軸１７に伝達するための第１連動機構６１ａが装着されている。また、図５に示す第２ケース体５１ｂでは貫通孔５３ａ，５４ａに、第２操作部材４１ｂの第５操作軸４２ｂの回転力を切替部材２５の第２操作軸２６に伝達するための第２連動機構６１ｂが装着されている。さらに、図６に示す第３ケース体５１ｃでは貫通孔５３ａ，５４ａに、第３操作部材４１ｃの第６操作軸４２ｃの回転力を吐止水部材３４の第３操作軸３５に伝達するための第３連動機構６１ｃが装着されている。
【００２７】
前記連動機構６１ａ，６１ｂ，６１ｃは、第１傘歯車６２と第２傘歯車６３とから構成され、ブッシュ６４を介してケース体５１ａ，５１ｂ，５１ｃにそれぞれ装着されている。この傘歯車６２，６３は断面略傘形状で、中央には軸心方向に貫通した貫通孔６２ａ，６３ａが形成され、図４乃至図６に示すように、第１傘歯車６２と第２傘歯車６３とは噛合うとともに、お互いに直交するようにケース体５１ａ，５１ｂ，５１ｃに装着されている。
【００２８】
第１連動機構６１ａにおいては、図４に示すように、第１傘歯車６２は温調部材１６の第１操作軸１７に、第２傘歯車６３は第１操作部材４１ａの第４操作軸４２ａにそれぞれ取り付けられることで、温調部材１６の第１操作軸１７と第１操作部材４１ａの第４操作軸４２ａとが互いに直交するように配置される。この状態で第１操作部材４１ａを回転させると、第４操作軸４２ａの回転に連動して第２傘歯車６３が回転する。そして、第２傘歯車６３と第１傘歯車６２とは噛合っていることから、第２傘歯車６３の回転力は第１傘歯車６２に伝達される。その結果、温調部材１６の第１操作軸１７が回転することで、湯，水の温度を調節することが可能となっている。
【００２９】
また、第２連動機構６１ｂにおいては、図５に示すように、第１傘歯車６２は切替部材２５の第２操作軸２６に、第２傘歯車６３は第２操作部材４１ｂの第５操作軸４２ｂにそれぞれ取り付けられることで、切替部材２５の第２操作軸２６と第２操作部材４１ｂの第５操作軸４２ｂとが互いに直交するように配置される。この状態で第２操作部材４１ｂを回転させると、第５操作軸４２ｂの回転に連動して第２傘歯車６３が回転する。そして、第２傘歯車６３と第１傘歯車６２とは噛合っていることから、第２傘歯車６３の回転力は第１傘歯車６２に伝達される。その結果、切替部材２５の第２操作軸２６が回転することで、湯水の吐水方向及び吐水流量を調節することが可能となっている。
【００３０】
さらに、第３連動機構６１ｃにおいては、図６に示すように、第１傘歯車６２は吐止水部材３４の第３操作軸３５に、第２傘歯車６３は第３操作部材４１ｃの第６操作軸４２ｃにそれぞれ取り付けられることで、吐止水部材３４の第３操作軸３５と第３操作部材４１ｃの第６操作軸４２ｃとが互いに直交するように配置される。この状態で第３操作部材４１ｃを回転させると、第６操作軸４２ｃの回転に連動して第２傘歯車６３が回転する。そして、第２傘歯車６３と第１傘歯車６２とは噛合っていることから、第２傘歯車６３の回転力は第１傘歯車６２に伝達される。その結果、吐止水部材３４の第３操作軸３５が回転することで、湯水の吐水，止水の切り替え及び吐水流量を調節することが可能となっている。
【００３１】
本発明の水栓１を浴室Ａに取り付ける手順について説明する。
まず、図４乃至図６に示すように、各第１傘歯車６２，６２，６２をケース体５１ａ，５１ｂ，５１ｃの側面５４の貫通孔５４ａに、各第２傘歯車６３，６３，６３をケース体５１ａ，５１ｂ，５１ｃの天井面５３の貫通孔５３ａにそれぞれ挿通させる。そして、第１傘歯車６２と第２傘歯車６３とは噛合うとともに、お互いに直交するように配置し、ブッシュ６４を介して連動機構６１ａ，６１ｂ，６１ｃをケース体５１ａ，５１ｂ，５１ｃに予め装着しておく。
【００３２】
そして、ケース体５１ａにおいて、第１操作部材４１ａの第４操作軸４２ａを第２傘歯車６３の貫通孔６３ａに挿通し、第２傘歯車６３の側方からビス６６を螺合することにより、第１操作部材４１ａと第１連動機構６１ａとを結合しておく。またケース体５１ｂにおいても同様に、第２操作部材４１ｂの第５操作軸４２ｂを第２傘歯車６３の貫通孔６３ａに挿通し、第２傘歯車６３の側方からビス６６を螺合することにより、第２操作部材４１ｂと第２連動機構６１ｂとを結合しておく。さらにケース体５１ｃにおいても同様に、第３操作部材４１ｃの第６操作軸４２ｃを第２傘歯車６３の貫通孔６３ａに挿通し、第２傘歯車６３の側方からビス６６を螺合することにより、第３操作部材４１ｃと第３連動機構６１ｃとを結合しておく。
【００３３】
次に、図３に示すように、ビス１０により温調本体１１，切替本体２１，止水本体３１を固定板３ａ，３ｂ，３ｃに結合した後、第１配管５により温調本体１１と切替本体２１とを、第２配管６により温調本体１１と止水本体３１とをそれぞれ接続する。そして、固定板３ａ，３ｂ，３ｃを取付板２の内部の所定位置に配置して、固定具４により温調本体１１，切替本体２１，止水本体３１を壁面Ｗに固定した後、水栓１を覆うように取付板２を壁面Ｗに取り付ける。このとき、温調部材１６の第１操作軸１７は温調本体１１から下方に向かって突出するように、切替部材２５の第２操作軸２６は切替本体２１から上方に向かって突出するように、吐止水部材３４の第３操作軸３５は止水本体３１から上方に向かって突出するように壁面Ｗに固定されている。また、温調部材１６，切替部材２５，吐止水部材３４は取付板２に対して平行となるように温調本体１１，切替本体２１，止水本体３１に収容されているため、温調本体１１，切替本体２１，止水本体３１の壁面Ｗから前方への突出量は少なく、取付板２と壁面Ｗとの空間が狭くても容易に取り付けることができる。
【００３４】
次に、第１連動機構６１ａが装着されたケース体５１ａを取付板２の取付孔２ａから挿入する。そして、ケース体５１ａの位置を調節し、第１連動機構６１ａの第１傘歯車６２の貫通孔６２ａに対して温調部材１６の第１操作軸１７が挿入されるようにする。その後、止め具５５によりケース体５１ａを固定板３ａに結合するとともに、第１傘歯車６２の側方からビス６５を螺合することにより、温調部材１６と第１連動機構６１ａとを結合すると第１操作部材４１ａの取り付けが終了する。
【００３５】
次に、第２連動機構６１ｂが装着されたケース体５１ｂを取付板２の取付孔２ｂから挿入する。そして、ケース体５１ｂの位置を調節し、第２連動機構６１ｂの第１傘歯車６２の貫通孔６２ａに対して切替部材２５の第２操作軸２６が挿入されるようにする。その後、止め具５５によりケース体５１ｂを固定板３ｂに結合するとともに、第１傘歯車６２の側方からビス６５を螺合することにより、切替部材２５と第２連動機構６１ｂとを結合すると第２操作部材４１ｂの取り付けが終了する。
【００３６】
次に、第３連動機構６１ｃが装着されたケース体５１ｃを取付板２の取付孔２ｃから挿入する。そして、ケース体５１ｃの位置を調節し、第３連動機構６１ｃの第１傘歯車６２の貫通孔６２ａに対して吐止水部材３４の第３操作軸３５が挿入されるようにする。その後、止め具５５によりケース体５１ｃを固定板３ｃに結合するとともに、第１傘歯車６２の側方からビス６５を螺合することにより、吐止水部材３４と第３連動機構６１ｃとを結合すると第３操作部材４１ｃの取り付けが終了し、水栓１の取付板２への取付作業が全て完了する。
【００３７】
また、部品の交換や点検等の際には、止め具５５及びビス６５を緩めるだけで、連動機構６１ａ，６１ｂ，６１ｃが装着されたケース体５１ａ，５１ｂ，５１ｃを固定板３ａ，３ｂ，３ｃから容易に取り外すことができる。このとき、温調本体１１，切替本体２１，止水本体３１は壁面Ｗに固定されたままの状態であるので、部品の交換や点検等のメンテナンス作業を取付板２の表側から容易に行うことができる。しかも、ケース体５１ａ，５１ｂ，５１ｃと連動機構６１ａ，６１ｂ，６１ｃとは従来のように分解する必要がなく、メンテナンス作業を短時間で行うことができる。
【図面の簡単な説明】
【００３８】
【図１】本発明の水栓を浴室の取付板に取り付けた状態の説明図である。
【図２】水栓の構成を示す正面図である。
【図３】水栓の構成を示す側面図である。
【図４】操作部材と温調部材との関係を表す拡大断面図である。
【図５】操作部材と切替部材との関係を表す拡大断面図である。
【図６】操作部材と止水部材との関係を表す拡大断面図である。
【符号の説明】
【００３９】
１                      ：水栓
２                      ：取付板
１１                    ：温調本体
１６                    ：温調部材
１７                    ：第１操作軸
２１                    ：切替本体
２５                    ：切替部材
２６                    ：第２操作軸
３１                    ：止水本体
３４                    ：吐止水部材
３５                    ：第３操作軸
４１ａ，４１ｂ，４１ｃ  ：操作部材
４２ａ                  ：第４操作軸
４２ｂ                  ：第５操作軸
４２ｃ                  ：第６操作軸
５１ａ，５１ｂ，５１ｃ  ：ケース体
６１ａ                  ：第１連動機構
６１ｂ                  ：第２連動機構
６１ｃ                  ：第３連動機構
【図１】
2006112180.tif 000003
【図２】
2006112180.tif 000004
【図３】
2006112180.tif 000005
【図４】
2006112180.tif 000006
【図５】
2006112180.tif 000007
【図６】
2006112180.tif 000008